(57)【要約】      （修正有）【課題】水稲の生育は水管理が重要であり、高齢従事者が多くなる中、水田への設置施工が容易で、水位調整作業は特別な知識が必要ではなくとも器具・装置による調整が、軽微な労力で誰でもが作業できる水位調整装置を提供する。【解決手段】十分な耐水圧を有する板状材を連結するために、蝶番を適宜に多数箇所配置して屈曲性が付与された水門扉２と、水門本体１は、流水口としてのＵ字形の切欠き開口部を有するが、左右対称に二分割して、水位目盛りと、水門扉の差込溝と、且つ差込溝の下方延長線上から始まる螺旋状円筒収納部３とを設け、漏水防止用の弾性体が水門扉を挟み込むように縦横に配置して組み立て、背面は無蓋箱型として畦畔に埋設施工時、土壌で固定して使用する。【選択図】図１
2005076437.tif 000002
【特許請求の範囲】
【請求項１】
十分の耐水圧を有する板状材を連結するために、蝶番を適宜に多数箇所配置して屈曲性が付与された水門扉と、水門本体は、流水口としてのＵ字形の切欠き開口部を有するが、左右対称に二分割して、水位目盛りと、水門扉の差込溝と、且つ差込溝の下方延長線上から始まる螺旋状円筒収納部とを設け、漏水防止用の弾性体が水門扉を挟み込むように縦横に配置して組み立て、背面は無蓋箱型として畦畔に埋設施工時、土壌で固定して使用する水位調整装置。
【請求項２】
請求項１の水門扉において、板状の熱可塑性樹脂に肉薄部を適宜に多数箇所配置した成形品を、射出成形で金型を用いてブランクとして製作する。成形直後の余熱が相当高い状態において、肉薄の箇所に曲折と反対方向への反りを数回与える事で育成される蝶番を有する水門扉を使用する水位調整装置
【請求項３】
請求項１のＵ字形の切欠き開口部において、輪郭線が非連続でＵ字形の切欠き開口下部が狭窄となる断面形状とし、水門本体に水門扉を挿入して押し下げた時に断面形状が合致し、且つ、水田用溝切機が通過できることを特徴とする水位調整装置。
【発明の詳細な説明】
【技術分野】
【０００１】  本発明は水門に関するものである。
【背景技術】
【０００２】  従来、水田において板、石、土嚢等で畦畔の水口の堰き止めを行うことで水門として水位調整してきた。その他、丸や角形開口部を任意の位置や状態で閉鎖する機能を持たせた、コンクリートや樹脂等の水門を埋設施工して水位調整に使用している。又は、計測機能や電動且つ通信機能を装備した装置等を用いる事で水田の水位調整を行っている。
【従来の技術の欠点】
【０００３】  然し乍、これらの方法を用いた方法は水門の構造上夫々欠点があり、畦畔の水口を板、石、土嚢等で堰き止めた時は、水位の調整は熟練を要し、石や土嚢の移動や持ち上げ等の大きな人力での作業、又は水位調整作業時間が一定ではなく労苦を伴っている。水門を埋設施工しての方法は、水門本体の丸や角形の開口部の断面輪郭線は閉鎖しており、又、水門扉に突起物や軸状の連結等があり、水面に浮遊状態の刈り取った雑草や飛来した紙・シート状の物が流れ込むことで、水門での閉塞状況を生み出すことがあるため、水門そのものの管理が必要である。その他、水田用溝切機での作業の折に、水門への水路の連結は手で溝を掘るなど別作業になる。そして、山間部・小規模農家などにおいては一枚のほ場が小さく、高価なものと考えられる省力化を図った装置等では投資効果が見出せない等の欠点がある。
【発明の開示】
【発明が解決しようとする課題】
【０００４】  水稲の生育は水管理が重要であり、高齢従事者が多くなる中、水田への設置施工が容易で、水位調整作業は特別な知識が必要ではなくとも器具・装置による調整が、軽微な労力で誰でもが作業できる事。又、水門としての機能は、草・紙・シート等の浮遊するもので開口部が閉塞状況にならず、設定した水位を乱さない事などが求められている。その他、水田内の間断潅水や中干し等を行う際に、水路溝を造成するが、水門を水田用溝切機が通過できるような形状構造となり、労力の軽減や水流の停滞を防止できることと共に、壊れ難く安価な水門が望まれているので、このような課題を満たす水位調整装置を提供することを目的とする。
【課題を解決するための手段】
【０００５】  上記の課題を解決するために、請求項１の発明は、十分の耐水圧を有する板状材を連結するために、蝶番を適宜に多数箇所配置して屈曲性が付与された水門扉と、水門本体は、流水口としてのＵ字形の切欠き開口部を有するが、左右対称に二分割して、水位目盛りと、水門扉の差込溝と、且つ差込溝の下方延長線上から始まる螺旋状円筒収納部とを設け、漏水防止用の弾性体が水門扉を挟み込むように縦横に配置して組み立て、背面は無蓋箱型として畦畔に埋設施工時、土壌で固定して使用する水位調整装置としたもの。【０００６】  請求項２の発明は、請求項１の水門扉において、板状の熱可塑性樹脂に肉薄部を適宜に多数箇所配置した成形品を、射出成形で金型を用いてブランクとして製作する。成形直後の余熱が相当高い状態において、肉薄の箇所に曲折と反対方向への反りを数回与える事で育成される蝶番を有する水門扉を使用する水位調整装置としたもの。【０００７】  請求項３の発明は、請求項１のＵ字形の切欠き開口部において、輪郭線が非連続でＵ字形の切欠き開口下部が狭窄となる断面形状とし、水門本体に水門扉を挿入して押し下げた時に断面形状が合致し、且つ、水田用溝切機が通過できることを特徴とする水位調整装置としたもの。【０００８】  本発明は、前記をそれぞれ発明の要旨として課題解決の手段としたものである。
【発明の効果】
【０００９】  本発明の請求項１の水位調整装置は、水門扉を巻き取って収納する特徴があるために、装置の全長は水門扉全長に比較すると極めて短く、畦畔を掘削する深さは浅くなり設置施工が容易である。【００１０】  水位の調整作業においては、水門本体を二分割する事で、弾性体を配置して水門扉に若干の与圧を掛けて組み立てる事で漏水を防止でき、水位目盛りを基準として水位管理は容易にでき、熟練や大きな労力を伴わずに、遠隔で指示を仰ぐ又は営農情報に拠ることで、農業従事者以外でも極めて短時間で行える。【００１１】  請求項２の水門扉においては、射出成形で蝶番部と板状とが一体となったブランクが製造でき、蝶番部は短くできるため、漏水防止のシール性の確保は容易である。成形時では特に肉薄となる蝶番部にて高分子鎖の配行が流動により整列されて、ヒンジ性が高くなる。その上、金型より取り出し直後に於いては相当の余熱があるために、蝶番の育成は曲折と反対方向への反りを繰り返し行うことで容易にでき、冷却後においては屈曲耐久性と引っ張り強度が向上し、巻き取り収納性とローコストでの生産性を備えた水門扉を使用することで、水位調整装置の高機能性を安価に提供できる。【００１２】  請求項３においては、水位調整装置のＵ字形の切欠き開口部の輪郭線が非連続となり且つ下部を狭窄とすることで、水位が低下すると流水口が絞られ、視覚に因って流量の確認をしながら、水位の加減を目盛りに反映しての調整が容易になる。また、水田の間断潅水や中干等において、水門の流水口内に水門扉以外の妨げはなく、畦畔等で刈られた雑草、近隣より飛来する紙・シート・フィルムの類が水田内に浮遊して水門に流れ込んでも、水と共にオーバーフローする為に水位に影響を及ぼさず、排水の最終経路としてスムーズな水流が得られるために、確実に水位を保持できる。又、水田用溝切機を作業状態で水門も通過させて、水路の造成する際もＵ字形の切欠き開口部の輪郭線が非連続であることが最重要で、請求項１の構造要件と相まって導き出される効果である。その効果により、水路溝の最低部と水門のＵ字形の切り欠き開口下部の段差なく迅速な排水ができることで泥濘はなくなる。その結果、コンバイン等の重量農機の沈み込みが無くなり、作業の中断及び泥濘からの脱出するための救援救助等は必要なくなる。又、開口部の幅を十分広く取れる構造でもあり、壊れ難いものとなる。
【発明を実施するための最良の形態】
【００１３】
【実施例】
【００１４】  以下図面の例に従って請求項１の発明を具体的に説明すれば、
【図１】
の水位調整装置組み立て全体図において、水位目盛りを表した水門本体１，に水門扉２を差込み、差込溝の延長線上から始まる螺旋状円筒収納部３に押し込み収納するものとし、背面４は無蓋箱型として土壌が入る空間となり埋設施工後は畦畔と一体となる。
【図２】
の水門分割体図においては、水門扉を挟み込む縦横に配置した弾性体５，６，７であり、螺子穴８，９，１０，１１，１２，１３，１４，１５にて水門本体となるように、対称形である同一の水門分割体を組み立て水位調整装置としたもの。
【００１５】  請求項２の発明を
【図３】
の水門扉詳細図で説明すると、
【図３】
（ａ）のブランク図は、成形後の状態で肉薄部１６を多数箇所配置する。
【図３】
（ｂ）の水門扉は、肉薄部１６が育成されて蝶番１７となり、単一材質で耐水圧と屈曲性を得て、螺旋状に巻き取られる状態で、当該水門扉を使用する水位調整装置としたもの。
【００１６】  請求項３の発明は、
【図４】
のＵ字形切欠き開口部で説明すると、水門本体と水門扉が共に狭窄部１８，１９が設けられ、Ｕ字形切欠き開口部の輪郭線２０は非連続線で開口しており、流水や機械等の通過が容易になる水位調整装置としたもの。
【図面の簡単な説明】
【００１７】
【図１】    水位調整装置組み立て全体図である。
【図２】    （ａ）は水門分割体全体図である。（ｂ）は水門分割体正面図である。
【図３】    （ａ）は水門扉の成形後のブランク図と肉薄部の拡大図である。（ｂ）は水門扉の蝶番を育成後の巻き取り図と蝶番部の拡大図である。
【図４】    （ａ）は水門扉を押し下げた時に合致する水門の狭窄になる部分を表した図面である（ｂ）はＵ字形切欠き開口部の輪郭線が非連続線で開口の状態を二点鎖線で表した図面である
【符号の説明】
１は水門本体
２は水門扉
３は螺旋状円筒収納部
４は背面
５，６，７は弾性体
８，９，１０，１１，１２，１３，１４，１５は螺子穴
１６は肉薄部
１７は蝶番
１８，１９は狭窄部
２０はＵ字形切欠き開口部輪郭線
【図１】
2005076437.tif 000003
【図２】
2005076437.tif 000004
【図３】
2005076437.tif 000005
【図４】
2005076437.tif 000006